(57)【要約】      （修正有）【課題】電装箱の組付けおよびメンテナンスの作業性を良好にしてリード線の長さを抑え、電装箱が雨水や結露の影響を受けずに室内吹出口の高さを大きくできるようにした一体型空気調和機を提供する。【解決手段】ベース２上に立設した仕切板４により内部ユニット３を室内側熱交換室Ａと室外側熱交換室Ｂとに区画し、前記室内側熱交換室Ａの一側に室内吸込口１ａを臨ませた室内側熱交換器７とシロッコファンとを備え、他側に前記シロッコファンから吹き出された風を導風する導風路９および室内吹出口１ｂと電装箱１３とを備え、前記室外側熱交換室Ｂに室外熱交換器１６と圧縮機２０とを備えた一体型空気調和機において、前記導風路９は前記ベース２の上部に配置され、前記電装箱１３は前記導風路９の上部に配置した。【選択図】図２
2013152038.tif 000002
【特許請求の範囲】
【請求項１】
ベース上に立設した仕切板により内部ユニットを室内側熱交換室と室外側熱交換室とに区画し、前記室内側熱交換室の一側に室内吸込口を臨ませた室内側熱交換器とシロッコファンとを備え、他側に前記シロッコファンから吹き出された風を導風する導風路および室内吹出口と電装箱とを備え、前記室外側熱交換室に室外熱交換器と圧縮機とを備えた一体型空気調和機において、
前記導風路は前記ベースの上部に配置され、前記電装箱は前記導風路の上部に配置されたことを特徴とする一体型空気調和機。
【請求項２】
前記電装箱は、前記室内側熱交換室の上方から組付けられることを特徴とする請求項１に記載の一体型空気調和機。
【請求項３】
前記電装箱は前記室内吹出口から後部に離間して配置し、前記室内吹出口の上縁は前記電装箱の底部よりも上位に位置させたことを特徴とする請求項１または請求項２に記載の一体型空気調和機。
【請求項４】
前記電装箱は、操作基板を備えた操作部と一体的に形成されたことを特徴とする請求項１乃至請求項３の何れかに記載の一体型空気調和機。
【請求項５】
前記電装箱と前記操作部とが別体で形成され、前記操作部が前記室内側熱交換室の前面下部に配置されたことを特徴とする請求項１乃至請求項３の何れかに記載の一体型空気調和機。
【発明の詳細な説明】
【技術分野】
【０００１】
本発明は、一体型空気調和機の内部ユニットに係わるものである。
【背景技術】
【０００２】
従来の一体型空気調和機１００は、図６および図７に示すように、操作部１０９の後部に配置された電装箱１０７を本体１０１の前後方向に出し入れ可能に保持できるようにして、電装箱１０７内の電装品へのサービス性を向上させたものが知られている（例えば、特許文献１）。
【０００３】
一体型空気調和機１００は、ベース１０２上に、本体１０１前面の一側の室内吸込口１０３に臨ませた室内側熱交換器１０４と、室内側熱交換器１０４に対向させた図示しない送風ファンと、送風ファンを収納し本体１０１前面の他側上部の室内吹出口１０５に導く導風路１０６と、導風路１０６の下方に設けられた電装箱カバー１０８と、電装箱カバー１０８の下部でベース１０２との間に設けられた電装箱１０７とを載置する。電装箱カバー１０８の両側下部には、電装箱１０７の両側上部を摺動自在に保持するガイド１１０を設け、電装箱１０７を前後に出し入れ可能に保持していた。
【０００４】
これにより、室内吸込口１０３から吸い込まれた空気が室内側熱交換器で冷媒と熱交換され、送風ファンによって電装箱１０７および電装箱カバー１０８の上方に導風路１０６を流通したのち、室内吹出口１０５に備えた風向板により風向偏向されて室内吹出口１０５から被空調室に吹き出されていた。
【０００５】
しかしながら、電装箱１０７の組付け時およびメンテナンス時は電装箱１０７を前後に移動する必要があり、特に中継コネクタ１０７ａと接続端子１０７ｂの接続を電装箱１０７の後方で行う時は電装箱１０７を前方に引き出しても手が届きにくく、作業性が良好でないという問題点を有していた。また、電装箱１０７と圧縮機１１１およびファンモータ１１２との間のリード線１１３は、電装箱１０７が前方に移動することで電装箱１０７の移動距離に見合う弛みが必要になるため長くなってしまうという問題点を有していた。
【０００６】
また、侵入した雨水が電装箱１０７と圧縮機１１１およびファンモータ１１２との間のリード線１１３を伝って電装箱１０７に滴下したり、また、冷房運転時に室内吹出口１０５の周囲に付着した結露が電装箱１０７に滴下したり、もしくは電装箱１０７に結露が付着したり、大雨によって侵入した多量の雨水がベース１０２上に溜まって電装箱１０７に侵入し、電装品に悪影響をあたえる虞があった。
【０００７】
さらに、室内吹出口１０５の下部に備えた電装箱１０７を前方に引出し可能にしたことで、室内吹出口１０５の高さ寸法は電装箱カバー１０８を備えた電装箱１０７の高さ相当分だけ小型化してしまい室内吹出口１０５の範囲が狭まることで、室内吹出口１０５を通過する風のスピードが速まり騒音が発生するという問題点を有していた。
【先行技術文献】
【特許文献】
【０００８】
【特許文献１】特開平９−１４５０９０号公報
【発明の概要】
【発明が解決しようとする課題】
【０００９】
本発明は、上記問題点に鑑み、電装箱の組付けおよびメンテナンスの作業性を良好にし、電装品が雨水や結露の影響を受けず、さらに室内吹出口の高さを大きくできるようにした一体型空気調和機を提供することを目的とする。
【課題を解決するための手段】
【００１０】
上述した目的を達成するため、本発明は以下に示す特徴を備えている。
【００１１】
ベース上に立設した仕切板により内部ユニットを室内側熱交換室と室外側熱交換室とに区画し、前記室内側熱交換室の一側に室内吸込口を臨ませた室内側熱交換器とシロッコファンとを備え、他側に前記シロッコファンから吹き出された風を導風する導風路および室内吹出口と電装箱とを備え、前記室外側熱交換室に室外熱交換器と圧縮機とを備えた一体型空気調和機において、
前記導風路は前記ベースの上部に配置され、前記電装箱は前記導風路の上部に配置されたことを特徴としている。
【００１２】
また、前記電装箱は、前記室内側熱交換室の上方から組付けられることを特徴としている。
【００１３】
また、前記電装箱は前記室内吹出口から後部に離間して配置し、前記室内吹出口の上縁は前記電装箱の底部よりも上位に位置させたことを特徴としている。
【００１４】
また、前記電装箱は、操作基板を備えた操作部と一体的に形成されたことを特徴としている。
【００１５】
また、前記電装箱と前記操作部とが別体で形成され、前記操作部が前記室内側熱交換室の前面下部に配置されたことを特徴としている。
【発明の効果】
【００１６】
本発明によれば、電装箱の組付けおよびメンテナンスの作業性を良好にし、電装品が雨水や結露の影響を受けず、さらに室内吹出口の高さを大きくできるようにした一体型空気調和機を提供できる。
【図面の簡単な説明】
【００１７】
【図１】本発明による一体型空気調和機の外観斜視図である。
【図２】本発明による一体型空気調和機の分解斜視図である。
【図３】本発明による一体型空気調和機の要部斜視図である。
【図４】本発明による一体型空気調和機の要部断面図である。
【図５】本発明による他の例の一体型空気調和機の外観斜視図である。
【図６】従来例による一体型空気調和機の要部斜視図である。
【図７】従来例による一体型空気調和機の要部説明図で、（Ａ）は図５に示すａ部の断面図であり、（Ｂ）は（Ａ）に示すｃ−ｃ断面図である。
【発明を実施するための形態】
【００１８】
以下、本発明の実施の形態を、添付図面に基づいた実施例として詳細に説明する。
【００１９】
本発明による一体型空気調和機は、図１乃至図４に示すように、内部ユニット３がベース２上に立設した仕切板４により室内側熱交換室Ａと室外側熱交換室Ｂとに区画されている。内部ユニット３とベース２は、筒状の外胴５内に収納され、前面に前面パネル６が装着されることで本体１を構成している。
【実施例１】
【００２０】
本発明による一体型空気調和機は、実施例１として図１に示すように、前面パネル６には、一側に室内吸込口１ａを備え、他側には上部に操作部１ｅを備えるとともに操作部１ｅの下方に室内吹出口１ｂを備え、外胴５には、中央部の上面および側面に室外吸込口１ｇを備え、後部の側面および後面に室外吹出口１ｈを備えている。
【００２１】
室内側熱交換室Ａの一側には、両側部に側板７ａおよび側板７ｂを備え室内吸込口１ａを臨ませた室内側熱交換器７と、ファンケーシング８ａ内に収納されたシロッコファン８とを備え、他側には、室内側熱交換器７で冷媒と熱交換された空気をシロッコファン８により導風する導風路９および導風路９の出口となる室内吹出口１ｂと、電装箱カバー１４で上部を覆い接続端子１３ａ、中継コネクタ１３ｂ等の電装品を内部に収納し板金で形成された電装箱１３とを備えている。
【００２２】
室内吹出口１ｂには、上下方向の風向を偏向する複数の上下風向板１１を備えている。室内吹出口１ｂの前面には、左右方向の風向を偏向する複数の左右風向板１２を保持した枠部１２ａが取付けられ、枠部１２ａは前面パネル６の他側に形成された開口部６ａ内に収納された構成になっている。
【００２３】
仕切板４は、内部ユニット３を室内側熱交換室Ａと室外側熱交換室Ｂとに仕切る仕切面４ａと、仕切面４ａの両側部を室内側熱交換室Ａの側に向けて外胴５の両側面に沿うように折曲した一側面４ｂおよび他側面４ｃとを有している。
【００２４】
導風路９は、板金で形成され仕切板４の他側面４ｃと室内熱交換器７の側板７ａとの間のベース２上に配置されている。
【００２５】
操作部１ｅは電装箱１３の前面に一体で形成され、電装箱１３は、ファンモータ１９および圧縮機２０とリード線２１で接続端子１３ｃに接続した後に、導風路９の上部に室内側熱交換室Ａの上方から組付けられ、電装箱カバー１４の前方２箇所と後方１箇所に設けた係止爪１４ａが、仕切板４の仕切面４ａの段差面４ａ１と他側面４ｃの前方の段差面４ｃ１と室内熱交換器７の側板７ａの係止穴７ａ１にそれぞれ係止される。
【００２６】
室外側熱交換室Ｂには、Ｕ字状に折曲形成され両側に側板を有した室外熱交換器１６と、室外熱交換器１６の側板に固定されベルマウスを有したエアガイダ１７と、エアガイダ１７のベルマウスに囲まれたプロペラファン１８と、プロペラファン１８およびシロッコファン８を一緒に駆動するファンモータ１９と、圧縮機２０とを備えている。
【００２７】
内部ユニット３は、電装箱１３および電装箱カバー１４を組付けた後に、仕切板４の仕切面４ａと電装箱カバー１４の係止爪１４ａと、室外熱交換器１６の側板とに板金による枠形状の支持部材２２がねじ締め固定される。次に、仕切板４の仕切面４ａと一側面４ｂおよび他側面４ｃと電装箱カバー１４の係止爪１４ａとに板金製の室内天板１５がねじ締め固定される。更に、室外熱交換器１６の側板およびエアガイダ１７の上部に板金製の室外天板２３がねじ締め固定されることで剛性を高め、電装箱カバー１４と支持部材２２と室内天板１５および室外天板２３とを同時にねじ締めすることで作業性を向上させている。
【００２８】
電装箱１３および電装箱カバー１４は、図２乃至図４に示すように室内側熱交換室Ａの上方から導風路９の上部に組付けられることで、図６に基づいて上述した従来例のように導風路１０６の下部に配置された構成に較べて、組付け時およびメンテナンス時の作業を上方から実施できるため作業性が良好になる。
【００２９】
また、電装箱１３および電装箱カバー１４が図７に示す従来例のように前方に引き出されないことから、電装箱１３に備えた中継コネクタ１３ｂ、接続端子１３ａと、ファンモータ１９および圧縮機２０との間のリード線２１は、従来例に比べて弛みが少なくてすむため長さを抑えることができる。
【００３０】
導風路９の上面９ａの出口近傍と、室内吹出口１ｂの上縁１ｃとの間には、図４に示すように、室内吹出口１ｂの上縁１ｃが導風路９の上面９ａ前端よりも上位前方に位置するように傾斜させた傾斜面からなる段差部１ｄを形成している。
【００３１】
段差部１ｄを形成したことで操作部１ｅの高さ寸法は小さくなるが、近年は運転操作がリモコンによって行われることが多く、操作基板１ｆを備えた操作部１ｅは図示しない操作ツマミに代えてリモコン受信部を用いることで小型化できる。また、段差部１ｄを形成したことで、室内吹出口１ｂの上下寸法を大きくできるようになる。
【００３２】
また、電装箱１３は、室内吹出口１ｂの上縁１ｃから後部に離間させて段差部１ｄの後方に配置されることで高さ寸法を操作部１ｅの高さ寸法よりも大きく形成できて、室内吹出口１ｂの上縁１ｃは、電装箱１３の底部よりも上位に位置させることができる。
【００３３】
電装箱１３は、室内側熱交換室Ａの上方から組付けおよびメンテナンスが行われることから、図７に基づいて上述した電装箱１０７のように移動しないので、電装箱１３に備えた中継コネクタ１３ｂ、接続端子１３ａと、ファンモータ１９および圧縮機２０との間のリード線２１は、引き出すための弛みが従来例に比べて少なくてすむため長さを抑えることができる。
【００３４】
また、中継コネクタ１３ｂ、接続端子１３ａがファンモータ１９および圧縮機２０よりも上位に配置されることで、従来例のように室外側熱交換室Ｂに侵入した雨水がリード線２１を伝って電装箱１３の側に導かれることがない。
【００３５】
導風路９を流通する冷気は重いため導風路９の下位部に集まりやすいことから、導風路９の上部に配置された電装箱１３に冷気の影響による結露が付着しにくくなる。
【００３６】
また、大雨によって内部ユニット３に多量の雨水が侵入し、ベース２上に溜まったドレン水に雨水が加わることで水高が増えたとしても、導風路９の上部に設置された電装箱１３に収納された電装品までは浸水してしまうことがない。
【実施例２】
【００３７】
また、本発明による一体型空気調和機は、実施例２として図５に示すように、前面パネル６には、一側に室内吸込口１ａを備え、他側には下部に操作部１ｅを備えるとともに操作部１ｅの上方に室内吹出口１ｂを備え、外胴５には、中央部の下面および側面に室外吸込口１ｇを備え、後部の側面および後面に室外吹出口１ｈを備えた構成にしてもよい。
【００３８】
この構成においては、電装箱カバー１４を備えた電装箱１３と操作基板１ｆを備えた操作部１ｅとが別体で形成され、電装箱１３が前面パネル６の他側上部に配置され、操作部１ｅが前面パネル６の他側下部に配置され、電装箱１３と操作部１ｅとが配線接続された構成にすることで、従来例のように操作部を下部にして容易に手の届く位置に操作スイッチを配置して操作性を良好にしながらも、電装箱１３の組付けおよびメンテナンスの作業性を良好にしてリード線２１の長さを抑え、電装品が雨水や結露の影響を受けない効果を得ることができる。
【００３９】
以上説明したように、本発明の構成によれば、室内側熱交換室Ａのベース２上にシロッコファン８の下流側の導風路９および室内吹出口１ｂを配置し、導風路９の上部に電装箱カバー１４を備えた電装箱１３を組付けたことにより、電装箱１３および電装箱カバー１４の組付けとメンテナンスの作業性とを良好にしてリード線２１の長さを抑え、電装箱１３の内部に収納された電装品までは雨水や結露の影響を受けることがなく、室内吹出口１ｂの高さ寸法を大きくできる一体型空気調和機となる。
【符号の説明】
【００４０】
１  本体
Ａ  室内側熱交換室
Ｂ  室外側熱交換室
１ａ  室内吸込口
１ｂ  室内吹出口
１ｃ  上縁
１ｄ  段差部
１ｅ  操作部
１ｆ  操作基板
１ｇ  室外吸込口
１ｈ  室外吹出口
２  ベース
３  内部ユニット
４  仕切板
４ａ  仕切面
４ｂ  一側面
４ｃ  他側面
５  外胴
６  前面パネル
６ａ  開口部
７  室内熱交換器
７ａ  側板
７ｂ  側板
８  シロッコファン
８ａ  ファンケーシング
９  導風路
９ａ  上面
１１  上下風向板
１２  左右風向板
１２ａ  枠部
１３  電装箱
１３ａ  接続端子
１３ｂ  中継コネクタ
１４  電装箱カバー
１５  室内天板
１６  室外熱交換器
１７  エアガイダ
１８  プロペラファン
１９  ファンモータ
２０  圧縮機
２１  リード線
２２  支持部材
２３  室外天板
【図１】
2013152038.tif 000003
【図２】
2013152038.tif 000004
【図３】
2013152038.tif 000005
【図４】
2013152038.tif 000006
【図５】
2013152038.tif 000007
【図６】
2013152038.tif 000008
【図７】
2013152038.tif 000009